(57)【要約】【課題】健康効果を具えた健康補正下着を提供する。【解決手段】健康補正下着１は、使用者の体に着用する下着本体２と、下着本体上に設置した少なくとも一層の支持層３から構成する。そのうち、下着本体は弾性材から作られ、且つ遠赤外線構造体とマイナスイオン構造体を具え、体の補正と健康効果を提供する。支持層の設置位置は、使用者の体の径脈、ツボの位置に対応し、且つ遠赤外線構造体を設置し、その遠赤外線の刺激によって使用者の体の径脈、ツボを刺激して強め、血液の循環を高めて健康効果を得る。【選択図】図１
0003136627.tif 000002
【実用新案登録請求の範囲】
【請求項１】
健康補正下着であって、
使用者が着用する形態の下着本体及び、下着本体上のツボ、経絡などの位置に応じて配分して設置されて使用者の体に刺激を及ぼす少なくとも一層の支持層からなることを特徴とする健康補正下着。
【請求項２】
前記下着本体は、一層の有遠赤外線構造体を具えた弾性網布層を含むことを特徴とする請求項１記載の健康補正下着。
【請求項３】
前記下着本体は、一層のマイナスイオン構造体を具えた弾性網布層を含むことを特徴とする請求項１記載の健康補正下着。
【請求項４】
前記支持層は、その設置位置が使用者の体の径脈、ツボの位置に対応することを特徴とする請求項１記載の健康補正下着。
【請求項５】
前記支持層は、遠赤外線構造体を具えることを特徴とする請求項４記載の健康補正下着。
【請求項６】
前記遠赤外線構造体は、遠赤外線材を具えた繊維からなり、その繊維で支持層を織ったものであることを特徴とする請求項５記載の健康補正下着。
【請求項７】
前記遠赤外線構造体は、遠赤外線粉体であって、その遠赤外線粉体は支持層に設置されたことを特徴とする請求項５記載の健康補正下着。
【考案の詳細な説明】
【技術分野】
【０００１】
本考案は、衣類に関し、特に、健康効果を具えた健康補正下着である。
【背景技術】
【０００２】
現在、市販されている衣類には「着る」という機能があるだけで、同時に別の機能、例として「健康に良い」等の効果を具えてはいないため、利用価値が低い。
【特許文献１】特開２００５−１９８７９９号公報
【特許文献２】特許第３７６３７９２号公報
【考案の開示】
【考案が解決しようとする課題】
【０００３】
解決しようとする問題点は、衣類が「着用する」という機能に加えて、健康増進に寄与する機能を具えた下着を適供することにある。
【課題を解決するための手段】
【０００４】
本考案は、一使用者の体に着用する下着本体と、下着本体上に設置した少なくとも一層の支持層を含む。そのうち、子の下着本体は弾性材から作られ、且つ遠赤外線構造体とマイナスイオン構造体を具え、体の補正と健康効果を提供する。この支持層の設置位置は、使用者の体の径脈、ツボの位置に対応し、且つ遠赤外線構造体を設置し、その遠赤外線の刺激によって使用者の体の径脈、ツボを刺激して強め、血液の循環を高めて健康効果を得ることを最も主要な特徴とする。
【考案の効果】
【０００５】
本考案の健康補正下着は、下述の利点がある。
遠赤外線の特性として、電磁波が人体に共振し、体内の分子を振動させる。分子は相互にぶつかり合って発熱反応を起こし、体の皮膚体温を上昇させ、更に毛細血管を拡張させて血液の循環を向上する。これにより、人体の新陳代謝を促進し、且つ体内毒素を取り去り、速やかに体に新しい酵素を取り込ませ、生理機能を向上して、健康にする。
つまり、本考案の健康補正下着は、遠赤外線支持層の構造が、使用者の径脈、ツボの位置に対応する。これによってこの支持層の対応箇所に対して遠赤外線を発して血液の循環を促進し、健康を保つ機能を達することができる。この他、本考案の健康補正下着の弾性網布層にも遠赤外線構造体を設置し、更に弾性綿生地層にはマイナスイオン構造体を設置する。これらによって使用者の体全体遠赤外線及びびマイナスイオンが発射され、健康を保つ機能が更に控除する。
【考案を実施するための最良の形態】
【０００６】
本考案の健康効果を具えた健康補正下着は、次の構成からなる。
【０００７】
下着本体、及び少なくとも一層の支持層からなる。この下着本体は使用者が着用する下着の形態、機能を具え、支持層は下着本体にツボ、経絡などの位置に対応する形態で下着本体上に設置されて、使用者の体に対応して刺激する。
【０００８】
前述の下着本体は、一層の弾性網布層と一層の弾性綿生地層で構成され、支持層は弾性網布層の表面に設置する。
前述の下着本体は、一層の弾性網布層と一層の弾性綿生地層から構成され、支持層は弾性綿生地層の表面に設置する。
前述の弾性網布層は、遠赤外線構造体を具える。
前述の遠赤外線構造体は、遠赤外線材料の繊維を具え、その繊維で弾性網布層を編んで構成される。
前述の遠赤外線構造体は、遠赤外線粉体とし、その遠赤外線粉体は弾性網布層に設置する。
前述の弾性綿生地層は、マイナスイオン構造体を具える。
前述のマイナスイオン構造体は、マイナスイオン材の繊維を具え、その繊維で弾性綿生地層を編んで構成される。
前述のマイナスイオン構造体は、マイナスイオン粉体とし、そのマイナスイオン粉体は弾性綿生地層に設置する。
前述の支持層は、つぼ、経絡などの位置の下着本体を畳み折り設置方式で形成する。
前述の支持層は、下着本体表面のつぼ、経絡などの位置に相互に畳んで縫い付けて設置する。
前述の支持層の設置位置は、使用者体の径脈、ツボの位置に対応する。
前述の支持層は、遠赤外線構造体を具える。
前述支持層の遠赤外線構造体は、遠赤外線材の繊維を具え、その繊維で支持層を編んで構成される。
前述支持層の遠赤外線構造体は、遠赤外線粉体で、その遠赤外線粉体は支持層に設置する。
【実施例１】
【０００９】
上述の目的を達成するため、良好な実施例と図式を挙げて本考案の技術手段及びびその効果を説明する。
【００１０】
先ず、第１図、第２図に於いて、第1図は本考案の健康補正下着の第一実施例の正面斜視図で、第２図はその実施例の背面斜視図である。
【００１１】
図に示すとおり、本考案の健康補正下着１は、使用者によって着用される。本考案の健康補正下着１の外観形状は、本実施例の形態に制限されることはなく、製造者は各自デザインした各形状の健康補正下着１を設計することができる。
【００１２】
この健康補正下着１は、使用者が体に着用する下着本体２,及び下着本体上に設置する支持層３からなる。
【００１３】
第３図は、第１図実施例の断面線I-Iに沿って切り取った断面図で、下着本
体２の構造である。
【００１４】
下着本体２は、一層の弾性網布層２１と一層の弾性綿生地層２２が共に組み合わされて構成される。その下着本体２はまた二層の弾性網布層２１から構成され、その形状は使用者の体の形状に対応する。弾性網布層２１、弾性綿生地層２２はどちらも弾性材から作られるため、体を締める効果も具える。この他、使用者が快適に着用できるよう、本実施例では生地が柔らかい弾性綿生地層２２を弾性網布層２１に相対する内側に畳んで設置し、使用者の体に接触するようにしている。無論、この両布層２１、２２の位置を反対にして実施することもできる。
【００１５】
健康補正下着１の効果をより高めるため、弾性網布層２１上に遠赤外線構造体４、及び弾性綿生地層２２にマイナスイオン構造体５を具え、使用者の体を健康に保つ効果を高める。実施時、二層の弾性網布層２１上にそれぞれ遠赤外線構造体４及びマイナスイオン構造体５を設置してもよい。
【００１６】
遠赤外線構造体４は、例えば遠赤外線材料を具えた繊維からなり、この繊維で弾性網布層２１を織る。または遠赤外線構造体４を例えば遠赤外線粉体とし、その遠赤外線粉体を弾性網布層２１に設置してもよい。マイナスイオン構造体５は、例としてマイナスイオン材料の繊維からなり、その繊維で弾性綿生地層２２を織る。またはマイナスイオン構造体５を例えばマイナスイオン粉体とし、そのマイナスイオン粉体を弾性綿生地層２２に設置してもよい。
【００１７】
第４図は、第1図実施例の断面線II-IIに沿って切り取った断面図で、下着本
体２と支持層３の構造を示す。
【００１８】
本実施例の支持層３は、相互に重ねる方式で下着本体２の弾性綿生地層２２内側表面の適する位置に縫い付ける。相互に重なる構造のため、突出した支持層３を形成し、使用者の体に押圧効果をもたらす。第１図、第２図に示すとおり、支持層３を設置した位置が使用者の体の径脈、ツボの連絡する位置（例として心臓径脈、肝臓径脈、脾臓径脈、肺径脈、腎臓径脈）に対応するようにする。支持層３による押圧作用により、使用者の体の径脈、ツボの血液循環を高める。更に、本実施例の遠赤外線材料を具えた繊維を使用し、その繊維で支持層３構成するため、使用者の体の健康を更に高める。当然、繊維の材料は本実施例に制限されない。
【実施例２】
【００１９】
第５図は、本考案の健康補正下着の第二実施例の断面図である。
本実施例と第一実施例の構造はおよそ同じであり、異なる点は以下のとおりである。支持層３は、前記の押圧作用に適する位置の弾性網布層２１を重ね合わせる形式で形成し、続いて弾性網布層２１の外側表面上に縫い付けて固定する。弾性網布層２１は遠赤外線構造体４であるため、支持層３も同じく遠赤外線構造体４を具える。これらにより、健康補正下着１の支持層３対応区域の遠赤外線量を増やし、健康効果を更に高める。第１図、第２図はどちらも支持層３の設置位置が使用者の体の径脈、ツボに繋がる位置（例として心臓径脈、肝臓径脈、脾臓径脈、肺径脈、腎臓径脈）に対応し、遠赤外線を放射して、使用者体の径脈、ツボの血液循環を更に高める。
【００２０】
本実施例の支持層３は、三層を例としているが、遠赤外線構造体4を具えた支持層３であれば一層、二層、もしくは三層以上でもよく、本実施例は制限しない。また本実施例の支持層３は遠赤外線粉体を支持層３に設置してもよく、健康増進効果を更に高める。
【００２１】
支持層３は、外付け方式で作成しているが、本実施例はこれに制限するものではなく、例として弾性網布層２１外側表面の前記の適する位置に適する大きさの遠赤外線を具えた布を畳んで縫いつけ、遠赤外線構造体４を具えた支持層３でもよい。当然その布の数量についても制約はなく、設計者が必要に応じて数を増減する。つまり下着本体２の弾性網布層２１外側表面の使用者經絡位置に対応する箇所に少なくとも一層の遠赤外線構造体４を具えた支持層３を設置すれば本実施例の考案目的は達成される。
【実施例３】
【００２２】
第６図は、本考案の健康補正下着の第三実施例の断面図である。
本実施例と第一実施例の構造およそ同じであり、異なる箇所は以下のとおりである。支持層３は、第一実施例と第二実施例の方法であり、支持層は繊維層を相互に折り畳んだ方式で下着本体２の弾性綿生地層２２内側表面適する位置に縫い付ける。更に弾性網布層２１外側表面の対応する位置には折り畳んで重ねた方法を用い、弾性網布層２１外側表面上に縫い付けて固定する。これらによって直接使用者の体を押圧するだけでなく、遠赤外線がその対応区域の血液循環を促進し、良好な健康効果をもたらす。
【００２３】
本考案は、上述の実施例を例として説明しているが、本考案実施例の範囲を制限するものではない。そのため、本考案の範囲に述べた形状構造の特徴及び本考案の精神に基づく変化と修飾は全て本考案の申請範囲とする。
【図面の簡単な説明】
【００２４】
【図１】本考案の健康補正下着の第一実施例の前面指示図である。
【図２】本考案の実施例の後方指示図である。
【図３】本考案の実施例で、第1図の断面線I-Iに沿って切り取った断面図で、下着本体の構造である。
【図４】本考案の実施例で第1図の断面線II-IIに沿って切り取った断面図で、下着本体と遠赤外線支持層の構造である。
【図５】本考案の健康補正下着の第二実施例の断面図である。
【図６】本考案の健康補正下着の第三実施例の断面図である。
【符号の説明】
【００２５】
１        健康補正下着
２        下着本体
２１        弾性網布層
２２        弾性綿生地層
３        支持層
４        遠赤外線構造体
５        マイナスイオン構造体
【図１】
0003136627.tif 000003
【図２】
0003136627.tif 000004
【図３】
0003136627.tif 000005
【図４】
0003136627.tif 000006
【図５】
0003136627.tif 000007
【図６】
0003136627.tif 000008